【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
底部および開口頂部を有する円筒状の採取バイアルと、
前記採取バイアルに挿入可能で、前記採取バイアルの底部から流体を吸い上げるための試験片を備えた流体試験紙と、
前記採取バイアルの開口頂部に挿入されるエクスプレッサであって、当該エクスプレッサは、流体が内部を通過するリブ付のベースと、前記リブ付のベースが前記採取バイアルの底部と離間した状態で、前記採取バイアル内に当該エクスプレッサを保持する支持部材とを備え、前記採取バイアルの底部は、流体を貯留し内部に前記試験紙を収容する円錐形状を有する、エクスプレッサと、
流体を捕捉する吸収性部材を含む流体採取装置であって、前記吸収性部材は、前記エクスプレッサ内に挿入され、前記リブ付のベースに対して圧縮可能であり、捕捉された流体を前記リブ付のベースを通して前記採取バイアルの底部へと放出する流体採取装置と、
前記吸収性部材の前記エクスプレッサへの挿入後に、前記エクスプレッサに前記流体採取装置を掛止して、前記吸収性部材を膨張させることが可能であり、圧縮後に、前記採取バイアルから前記採取装置およびエクスプレッサが取り除かれる際の液だれを防止する捕捉機構と、を含む流体採取および試験装置。
【請求項２】
底部および開口頂部を有し、三角形状の管を備えた採取バイアルと、
前記採取バイアルに挿入可能で、前記採取バイアルの底部から流体を吸い上げるための試験片を備えた流体試験紙と、
前記採取バイアルの開口頂部に挿入されるエクスプレッサであって、当該エクスプレッサは、流体が内部を通過するリブ付のベースと、前記リブ付のベースが前記採取バイアルの底部と離間した状態で、前記採取バイアル内に当該エクスプレッサを保持する支持部材とを備え、前記採取バイアルの底部は、前記管の側部に向かって傾斜し、流体を貯留し試験紙底部を受ける槽を備えたエクスプレッサと、
流体を捕捉する吸収性部材を備える流体採取装置であって、前記吸収性部材は、前記エクスプレッサ内に挿入され、前記リブ付のベースに対して圧縮可能であり、捕捉された流体を前記リブ付のベースを通して前記採取バイアルの底部へと放出する流体採取装置と、
前記吸収性部材の前記エクスプレッサへの挿入後に、前記エクスプレッサに前記流体採取装置を掛止して、前記吸収性部材を膨張させることが可能であり、圧縮後に、前記採取バイアルから前記採取装置およびエクスプレッサが取り除かれる際の液だれを防止する捕捉機構と、を含む流体採取および試験装置。
【請求項３】
前記円筒状の採取バイアルの内周に締まり嵌合して、前記エクスプレッサが尚早に前記円筒状の採取バイアルから取り出されることを防ぐ、前記エクスプレッサの周囲に配置された圧搾リブをさらに含む請求項１または２に記載の装置。
【請求項４】
前記支持部材は、外方に延び、前記採取バイアルの頂部と係合するフランジを含む請求項３に記載の装置。
【請求項５】
前記流体採取装置は、把手、および前記吸収性部材と前記把手とを相互に連結する軸を含み、
前記捕捉機構は、前記軸から径方向に延びるスカートと、前記採取バイアルの内周に配置されて前記スカートと係合するリングとを含む請求項１または２に記載の装置。
【請求項６】
前記流体採取装置は、前記採取バイアルの底部に向けて挿入された前記流体採取の動きに際して、前記エクスプレッサのリブ付ベースに対する前記吸収性部材の圧縮を引き起こす前記吸収性部材に隣接する第２のスカートを含む請求項５に記載の装置。
【請求項７】
前記吸収性部材は、圧縮後におこる膨張を可能とする大きさにされており、これにより、前記スカートを前記リングに対して押し付け、かかる膨張により、前記採取バイアルから前記採取装置および前記エクスプレッサが取り除かれる際の液だれを防止する請求項６に記載の装置。
【請求項８】
前記エクスプレッサは、前記エクスプレッサの前記採取バイアルへの挿入を容易にする、テーパーがつけられた側壁部分を含む請求項１または２に記載の装置。
【請求項９】
前記採取バイアルの開口頂部を封止するキャップをさらに含む請求項１または２に記載の装置。
【請求項１０】
底部および開口頂部を有する円筒状の採取バイアルと、
前記バイアルの開口頂部に挿入されるエクスプレッサであって、流体が内部を通過するリブ付のベースと、前記リブ付のベースが前記バイアルの底部と離間した状態で、前記採取バイアル内に当該エクスプレッサを保持する支持部材とを含むエクスプレッサと、
流体を捕捉する吸収性部材を含む流体採取装置であって、前記吸収性部材は、前記エクスプレッサ内に挿入され、前記リブ付のベースに対して圧縮可能であり、捕捉された流体を前記リブ付のベースを通して採取バイアルの底部へと放出する流体採取装置と、
前記採取バイアルに挿入される流体試験紙であって、流体を貯留し内部の当該試験紙の位置を中央に合わせるための円錐形状を有する前記採取バイアルの底部から流体を吸い上げるための試験片を備えた流体試験紙と、
前記エクスプレッサへの挿入後に前記流体採取装置を前記エクスプレッサに掛止し、前記流体採取装置とともに前記採取バイアルから前記エクスプレッサの取り出しを可能にする捕捉機構と、を含む流体採取および試験装置。
【請求項１１】
前記試験紙は、前記円錐形状に合致する底部を含む請求項１、２または１０に記載の装置。
【請求項１２】
底部および開口頂部を有し、三角形状の管を備え、前記採取バイアルの底部は前記管の側部に向けて傾斜して、流体を貯留し試験紙底部を受ける槽を含むものである採取バイアルと、
前記採取バイアル開口頂部に挿入されるエクスプレッサであって、流体が内部を通過するリブ付のベースと、前記リブ付のベースが前記採取バイアルの底部と離間した状態で、前記採取バイアル内に当該エクスプレッサを保持する支持部材とを備えたエクスプレッサと、
流体を捕捉する吸収性部材を含む流体採取装置であって、前記吸収性部材は、前記エクスプレッサ内に挿入され、前記リブ付のベースに対して圧縮可能であり、捕捉された流体を前記リブ付のベースを通して採取バイアルの底部へと放出する流体採取装置と、
前記エクスプレッサへの挿入後に、前記エクスプレッサに前記流体採取装置を掛止して、前記流体採取装置とともに前記採取バイアルから前記エクスプレッサの取り出しを可能にする捕捉機構と、を含む流体採取および試験装置。
【請求項１３】
前記エクスプレッサの周囲に配置されて、前記採取バイアルの内周に締まり嵌合し、前記採取バイアルから前記エクスプレッサが尚早に取り出されることを防止する圧搾リブをさらに含む請求項１２に記載の装置。
【請求項１４】
前記支持部材は、外方に延び、前記採取バイアルの頂部に係合するフランジを含む請求項１３に記載の装置。
【請求項１５】
前記流体採取装置は、把手、および前記吸収性部材と前記把手とを相互に連結する軸を含み、前記捕捉機構は、前記軸から径方向に延びるスカートと、前記採取バイアルの内周に配置されて前記スカートと係合するリングと、を含む請求項１２に記載の装置。
【請求項１６】
前記流体採取装置は、前記採取バイアルの底部に向け挿入された前記流体採取装置の動きに際して、前記エクスプレッサのリブ付ベースに対する前記吸収性部材の圧縮を引き起こす前記吸収性部材に隣接する第２のスカートを含む請求項１５に記載の装置。
【請求項１７】
前記吸収性部材は、圧縮後におこる膨張を可能にする大きさにされており、これにより前記スカートを前記リングに対し押し付け、かかる膨張は、前記採取バイアルから採取装置および前記エクスプレッサが取り除かれる際の液だれを防止する請求項１６に記載の装置。
【請求項１８】
前記エクスプレッサは、前記エクスプレッサの前記採取バイアルへの挿入を容易にする、テーパーがつけられた側壁部分を含む請求項１２に記載の装置。